(57)【要約】【課題】軸受けの磨耗状態についての情報を与えるような軸受け装置を提供する。【解決手段】本発明は軸受け装置、特に印刷機の軸受け装置に関する。この軸受け装置は、書き込み可能であるとともに読み取り可能である、特に能動的なＲＦＩＤ（無線認証）装置（１１）を有し、該ＲＦＩＤ装置（１１）は、第１の運転モード、すなわち受信モードにおいて軸受けデータを受信かつ記憶し、該ＲＦＩＤ装置は、第２の運転モード、すなわち送信モードにおいて、第１の運転モードにおいて読み取られ、かつ記憶されたデータを送信する。【選択図】図１
2007076367.tif 000002
【特許請求の範囲】
【請求項１】
軸受け装置、特に印刷機の軸受け装置であって、該軸受け装置は、書き込み可能であるとともに読み取り可能である、特に能動的なＲＦＩＤ装置（１１）を有し、該ＲＦＩＤ装置（１１）は、第１の運転モード、すなわち受信モードにおいて軸受けデータを受信し、かつ記憶し、該ＲＦＩＤ装置は、第２の運転モード、すなわち送信モードにおいて、第１の運転モードにおいて読み取られ、かつ、記憶されたデータを送信する、軸受け装置。
【請求項２】
前記ＲＦＩＤ装置（１１）は前記第１の運転モードにおいて、軸受けデータとして、軸受けパラメータの瞬時値、特に、温度値および／あるいは回転数値および／あるいは力の値および／あるいは周波数値を受信することを特徴とする、請求項１に記載の軸受け装置。
【請求項３】
前記ＲＦＩＤ装置（１１）は前記第１の運転モードにおいて、軸受けデータとして、軸受けの運転に関して、加算あるいは積算された軸受けパラメータ、特に倒れ値を受信することを特徴とする、請求項１または２に記載の軸受け装置。
【請求項４】
前記ＲＦＩＤ装置（１１）は軸受け装置、特に印刷機の軸受け装置の運転状態に応じて、前記第１の運転モードに移行し、前記軸受けデータを受信し、かつ記憶することを特徴とする、請求項１から３のいずれか１項に記載の軸受け装置。
【請求項５】
前記ＲＦＩＤ装置は、設定された時間間隔で、前記第１の運転モードに移行し、前記軸受けデータを受信し、かつ、記憶することを特徴とする、請求項１から４のいずれか１項に記載の軸受け装置。
【請求項６】
前記軸受けデータを測定し、前記ＲＦＩＤ装置（１１）に送信するセンサ（１２，１３，１４，１５，１６）を特徴とする請求項１から５のいずれか１項に記載の軸受け装置。
【発明の詳細な説明】
【技術分野】
【０００１】
本発明は軸受け装置、特に印刷機の軸受け装置に関するものである。
【背景技術】
【０００２】
印刷機における軸受けは、高い負荷のかかる構成部材であって、これらの部材の磨耗状態あるいは予想耐用年数およびメンテナンスは、軸受けが運転される条件に依存している。したがって、たとえば振動負荷、軸受けに作用する半径方向力、軸受けの温度および軸受けの倒れ（Lagerueberrollungen）などが、軸受けに対するメンテナンス間隔および軸受けの磨耗状態ひいては予想耐用年数に影響を及ぼす。従来技術からは、軸受けの磨耗状態についての情報を与えるような軸受け装置は知られていない。したがって、軸受けのメンテナンスは通常、慣例にしたがって特定の間隔をおいて行われ、軸受けの交換についても同様であるため、軸受けのメンテナンスまたは交換の実施が早すぎるか、あるいは遅すぎるという結果になる。軸受けのメンテナンスまたは交換の実施が早すぎた場合には、磨耗状態からすれば、より長く運転できたわけであるから、コストの増大につながる。軸受けのメンテナンスまたは交換の実施が遅すぎた場合には、故障によって、印刷機の予想外の停止を招くおそれがあり、それは生産の停止につながるのでコスト面で不利となる。
【発明の開示】
【発明が解決しようとする課題】
【０００３】
以上の点から、本発明の課題は、新たな種類の軸受け装置を提供することである。この課題は請求項１に記載の軸受けによって解決される。本発明に係る軸受け装置は、書き込み可能であるとともに読み取り可能である、特に能動的なＲＦＩＤ（Radio Frequency Identification：無線認証）装置を有し、該ＲＦＩＤ装置は、第１の運転モード、すなわち受信モードにおいて軸受けデータを受信かつ記憶し、該ＲＦＩＤ装置は、第２の運転モード、すなわち送信モードにおいて、第１の運転モードにおいて読み取られ、かつ記憶されたデータを送信する。
【課題を解決するための手段】
【０００４】
本発明では、ＲＦＩＤ装置を有する軸受け装置が提案される。このＲＦＩＤ装置は、第１の運転モードにおいて軸受けデータを受信し、これを記憶する。ＲＦＩＤ装置は、第２の運転モードにおいて、記憶されたデータを送信する。本発明の提案する軸受け装置においては、軸受けの負荷、したがって磨耗状態に関する軸受けデータが自動的に記憶され、読み取られる。こうすることによって軸受けの負荷状態および磨耗状態を正確に監視することができ、そのため、軸受けの磨耗状態に応じて、適切な時点において、軸受けのメンテナンスおよび交換が行われる。こうすることによって、コスト面での利点が得られる。
【０００５】
上記の課題を解決するために、能動型ＲＦＩＤが好適に用いられるが、瞬間的な運転パラメータを検索するために、受動型ＲＦＩＤを用いてもまったく問題がない。受動型ＲＦＩＤとは、すなわち、データを検出するため、およびデータを送信するために必要な電力を、検索を行う読み取り装置の高周波フィールドから受け取るＲＦＩＤである。
【０００６】
本発明のさらなる形成は従属請求項および以下の詳細な説明に記載されている。本発明の実施の形態を図面に基づいてより詳細に説明するが、本発明はこれらに限定されるものではない。図に示すのは以下のとおりである。
【発明を実施するための最良の形態】
【０００７】
図１は印刷機のための軸受け装置１０を概略的に示す図である。本図において軸受け装置１０は、ＲＦＩＤ装置１１を有する。ＲＦＩＤとは「Radio Frequency Identification」の略称である。ＲＦＩＤ装置１１は本図の例において、能動型装置として形成されており、蓄電池として形成された独自の電圧供給装置あるいは電力供給装置を使用することができ、データを受信かつ記憶するとともに、データを送信することができる。
【０００８】
本発明では、軸受け装置１０のＲＦＩＤ装置１１は２つの運転モードで運転される。すなわち、ＲＦＩＤ装置１１がセンサ１２，１３，１４，１５および１６によって測定された軸受けデータを受信し、かつ記憶する第１の運転モードと、ＲＦＩＤ装置１１が前もって記憶されたデータを送信する第２の運転モードである。第１の運転モードを受信モード、第２の運転モードを送信モードともいう。
【０００９】
ＲＦＩＤ装置１１の第１の運転モードにおいて受信および記憶される軸受けデータは、軸受けデータの瞬時値であってよい。例えば、図１に示す実施の形態では、センサ１２は軸受けの温度値を提供する。センサ１３は回転数値を、センサ１４は力の値、特に半径方向力の値を、センサ１５は軸受けの振動状態の周波数値を、それぞれ提供する。これらの瞬時値はセンサ１２〜１６によって送信され、ＲＦＩＤ装置１１によって受信および記憶される。
【００１０】
第１の運転モードにおいては、前記のような瞬時値のほかに、軸受けの運転に関して、加算あるいは積算された軸受けパラメータを受信および記憶することもできる。このとき、図１に示す実施の形態では、センサ１６が軸受け装置１０の軸受けの対応する倒れ値を測定および送信し、この倒れ値もまた、ＲＦＩＤ装置１１に受信および記憶される。
【００１１】
本発明では、このときＲＦＩＤ装置１１が、規則的な時間間隔をおいて、センサ１２〜１６から軸受けデータを受信および記憶するように構成することができる。また、ＲＦＩＤ装置１１が、軸受けの運転状態、特に軸受けが使用される印刷機の運転状態に応じて、第１の運転モードに移行し、その後、センサ１２〜１６から軸受けデータを受信および記憶するように構成することができる。
【００１２】
本発明では、ＲＦＩＤ装置１１が、特定の時間間隔にわたって連続的にセンサ１２〜１６によって測定および送信された軸受けデータを受信および記憶するように構成することもできる。
【００１３】
本発明ではしたがって、軸受けデータを受信および記憶するためのＲＦＩＤ装置１１を有する軸受け装置１０が提案される。軸受け装置１０に配設されたセンサ１２〜１６が軸受けデータを測定し、これらの軸受けデータをＲＦＩＤ装置１１に送信する。
【００１４】
軸受け装置１０のＲＦＩＤ装置１１に記憶されたデータは、読み取り装置１７によって読み取ることができる。このために、ＲＦＩＤ装置１１は第２の運転モードにおいて、前もって第１の運転モードにおいて受信および記憶された軸受けデータを読み取り装置１７に送信する。このとき、ＲＦＩＤ装置１１に記憶された軸受けデータを、ＲＦＩＤ装置１１によって送信することは、読み取り装置１７によって開始される。
【００１５】
ＲＦＩＤ装置１１が、第１の運転モードにおいて軸受けデータの受信および記憶のために使用されるのでもなく、第２の運転モードにおいて軸受けデータの送信に使用されるのでもない時間において、ＲＦＩＤ装置１１は、好適に静止モードとなり、電力を節約する。
【図面の簡単な説明】
【００１６】
【図１】本発明に係る軸受けの概略図である。
【符号の説明】
【００１７】
１０  軸受け装置
１１  ＲＦＩＤ装置
１２  センサ
１３  センサ
１４  センサ
１５  センサ
１６  センサ
１７  読み取り装置
【図１】
2007076367.tif 000003